(57)【要約】【課題】新たな水を追加することなく、長時間にわたって連続運転が可能な携帯用の加湿器を提供することである。【解決手段】給水路１４と蒸気発生部１５とを有する本体基部２と、前記本体基部２に着脱可能に設けられた蒸気カバー４と、前記本体基部２に着脱可能に設けられた扁平状の給水タンク３と、を備えた加湿器１において、給水タンク３に膨出部３ｂを設けるように構成する。【選択図】図１
2008032297.tif 000002
【特許請求の範囲】
【請求項１】
給水路と蒸気発生部とを有する本体基部と、
前記本体基部に着脱可能に設けられた蒸気カバーと、
前記本体基部に着脱可能に設けられた扁平状の給水タンクと、を備えた加湿器であって、
前記給水タンクには、膨出部が形成されていること
を特徴とする加湿器。
【請求項２】
前記膨出部は、円筒形状に形成されていること
を特徴とする請求項１に記載の加湿器。
【請求項３】
前記本体基部の外周に沿って、前記給水タンクと嵌合するための外壁部を設けたことを特徴とする請求項１又は２に記載の加湿器。
【請求項４】
前記外壁部には、前記給水タンクの膨出部と嵌合するための嵌合壁部が形成されており、この嵌合壁部に切欠き部を設けたこと
を特徴とする請求項３に記載の加湿器。
【請求項５】
前記切欠き部の下方には、操作部が形成されていること
を特徴とする請求項４に記載の加湿器。
【発明の詳細な説明】
【技術分野】
【０００１】
本発明は加湿器に関し、特に、持ち運びに便利な携帯用の加湿器に関する。
【背景技術】
【０００２】
近年、健康管理の観点から、ユーザーが加湿器を生活必需品と考え、旅行先や出張先などの外出先に持参するケースが増えてきている。
【０００３】
このため、持ち運びの際の利便性を考慮し、加湿器全体が扁平形状（平面視横長形状）となるように構成して、コンパクトにした携帯用の加湿器が提案されている（例えば、特許文献１参照）。
【０００４】
【特許文献１】特許３７１４２７９号公報
【発明の開示】
【発明が解決しようとする課題】
【０００５】
しかし、上記文献に記載された加湿器においては、加湿器全体をコンパクトにするため、水を収納する給水タンクの形状も扁平形状で構成されている。このため、給水タンクの水収納容量が少なく、新たな水の追加をすることなく、加湿器を長時間にわたって連続運転させることが難しいという問題がある。
【０００６】
本発明の目的は、上記のような問題点を考慮し、新たな水の追加をすることなく、長時間にわたって連続運転が可能な携帯用の加湿器を提供することである。
【課題を解決するための手段】
【０００７】
本発明は、上記のような目的を達成するためになされたものであり、この目的は、下記（１）〜（５）の発明によって達成される。
【０００８】
（１）給水路と蒸気発生部とを有する本体基部と、
前記本体基部に着脱可能に設けられた蒸気カバーと、
前記本体基部に着脱可能に設けられた扁平状の給水タンクと、を備えた加湿器であって、
前記給水タンクには、膨出部が形成されていること
を特徴とする加湿器。
【０００９】
（２）前記膨出部は、円筒形状に形成されていること
を特徴とする上記（１）に記載の加湿器。
【００１０】
（３）前記本体基部の外周に沿って、前記給水タンクと嵌合するための外壁部を設けたことを特徴とする上記（１）又は（２）に記載の加湿器。
【００１１】
（４）前記外壁部には、前記給水タンクの膨出部と嵌合するための嵌合部が形成されており、この嵌合部に切欠き部を設けたこと
を特徴とする上記（３）に記載の加湿器。
【００１２】
（５）前記切欠き部の下方には、操作部が形成されていること
を特徴とする上記（４）に記載の加湿器。
【発明の効果】
【００１３】
本発明に係る加湿器によれば、給水タンクの水収納容量を大きくしたので、水の追加をすることなく、長時間にわたって連続運転することができる。
【発明を実施するための最良の形態】
【００１４】
以下、本発明に係る加湿器を実施するための一実施の形態について、図面を参照して説明するが、本発明は以下の実施の形態に限定されるものではない。
【００１５】
図１は、本発明の一実施の形態に係る加湿器１の斜視図を示したものである。
図１に示すように、本実施の形態に係る加湿器１は、本体基部２と、給水タンク３と、蒸気カバー４とから構成されている。
【００１６】
本体基部２の全体は、長手方向と短手方向からなる横長形状を有しており、矩形部分２１と円形部分２２とから構成されている。矩形部分２１には、外周に沿って外周壁部２ａが形成されている。さらに、円形部分２２の外周には、外周壁部２ａに連続するように嵌合壁部２ｂが形成されている。嵌合壁部２ｂは、外側へ膨らむように曲面的に形成されている。
【００１７】
給水タンク３は、扁平状のタンク部３ａと、これに連続して形成された円筒形状の膨出部３ｂと、から構成されている。
【００１８】
膨出部３ｂの円筒部分の直径は、本体基部２の短手方向の幅よりも大きくなるように形成されている。また、膨出部３ｂは、本体基部２の長手方向端部に位置するように配置されている。
【００１９】
蒸気カバー４は、内部に空間を有するカバー壁４ａにより構成されており、上部には蒸気放出口４ｂが形成されている。
【００２０】
なお、本体基部２、給水タンク３及び蒸気カバー４は、それぞれ合成樹脂で構成されている。
【００２１】
外周壁部２ａ及び嵌合壁部２ｂによって囲まれた部分には、給水タンク３及び蒸気カバー４が嵌合されている。このとき、給水タンク３の扁平状タンク部３ａ及び蒸気カバー４は外周壁部２ａに嵌合し、給水タンク３の膨出部３ｂは嵌合壁部２ｂに嵌合されている。また、本体基部２に嵌合された給水タンク３と蒸気カバー４は、滑らかに連続した外郭面を形成している。
【００２２】
このように、給水タンク３と蒸気カバー４とを本体基部２の長手方向に沿うように配置しているので、短手方向の幅を小さくして、加湿器全体をコンパクトにすることができる。
【００２３】
本実施形態の加湿器によれば、給水タンク３に膨出部３ｂを形成したので、加湿器全体をコンパクトにした状態で、給水タンク３の収納水量を増加することができる。これにより、使用者は、給水タンク３に新たな水を追加することなく、長時間にわたって加湿器を連続運転することができる。
【００２４】
また、本実施形態の加湿器によれば、本体基部２の外周に沿って外周壁部２ａを形成したので、水の入った状態の給水タンク３を確実に保持することができ、加湿器を安定した状態で運転することができる。また、外周壁部２ａで囲まれた部分は、給水タンクを本体基部２に嵌合させる際のガイド機能を有しているので、使用者は、確実に給水タンク３を本体基部２に嵌合することができる。
【００２５】
また、外周壁部２ａに連続して嵌合壁部２ｂを形成したので、膨出部３ｂにより収納できる水量を増やした給水タンク３であっても、確実に保持することができ、安定した状態で運転することができる。また、嵌合壁部２ｂで囲まれた部分はガイド機能も有するので、膨出部３ｂを有する複雑な形状の給水タンクであっても、使用者は、確実に給水タンク３を本体基部２に嵌合することができる。
【００２６】
嵌合壁部２ｂの上端部は、本体基部２の長手方向先端部に向かうに連れて低くなるように形成されており、これにより、本体基部２の長手方向端部には切欠き部５が形成されている。使用者は、切欠き部５を通じて、給水タンク３の膨出部３ｂに残存する水の量を視認することができ、給水タンク３内の残水量を確認できる。
【００２７】
また、切欠き部５の最下端部の下方には、操作部６であるスイッチキー６１が形成されている。すなわち、スイッチキー６１は、本体基部２の長手方向の端部に形成されている。なお、スイッチキー６１の上方には、給水ランプ等のパイロットランプ６２が形成されている。
【００２８】
本実施形態の加湿器によれば、嵌合壁部２ｂに切欠き部５を設けたので、使用者は給水タンク３内の残水量の確認を容易に行なうことができる。また、給水タンク３内の残水量が少ない状態であっても、確実に視認することができる。
【００２９】
また、本実施形態の加湿器によれば、切欠き部５の下方に操作部６を設けたので、使用者は、給水タンク３内の残量を確認しながら、スイッチ等の操作を行なうことができる。
【００３０】
なお、切欠き部５及び操作部６は、本体基部２の長手方向端部に設けられているので、使用者が、例えば加湿器を本棚等の隙間に挿入し、短手方向の部分しか見えないような状態で使用した場合であっても、加湿器を引き出すことなく、スイッチ等の操作を行なうことができる。また、スイッチ等の操作を行なう際に使用者から加えられる力は、加湿器の長手方向に加わることになるので、スイッチ操作の際に加湿器が転倒するような事態を防ぐことができる。
【００３１】
また、本実施の形態では、切欠き部５及び操作部６は、本体基部２の長手方向端部に形成されているが、切欠き部５と操作部６との配置が対応する関係であれば、本体基部２の短手方向端部に形成されていてもよい。
【００３２】
図２は、本発明の一実施の形態に係る給水タンクと蒸気カバーの斜視図である。
図２（ａ）は、本発明の一実施形態に係る給水タンク３の斜視図である。
図２（ａ）に示すように、給水タンク３は、扁平状のタンク部３ａと、これに連続して形成された円筒形状の膨出部３ｂとによって構成されている。また、タンク部３ａの上面と膨出部３ｂの上面とは、滑らかに連続した外郭面を形成している。
【００３３】
膨出部３ｂの底部の中央には、給水口部１０が形成されている。給水口部１０には、バネ等によって常に閉じるように付勢された逆止弁が設けられている。これにより、給水タンクを逆さまにしても、収容されている水が流出することはない。また、給水口部１０は、嵌め込み等によって給水タンク３の底部に装着されている。
【００３４】
図２（ｂ）は、本発明の一実施形態に係る蒸気カバー４の斜視図である。
図２（ｂ）に示すように、蒸気カバー４は、角柱形状を備えたカバー壁４ａにより構成されている。蒸気カバー４の下端は、本体基部２に設けられた蒸気発生部を覆うように開口されており、蒸気カバー４は、本体基部２に対して着脱可能に構成されている。また、蒸気カバー４の上部には、蒸気発生部で発生した蒸気を外部へ放出するための蒸気放出口４ｂが形成されている。
【００３５】
また、給水タンク３と蒸気カバー４とは、互いに着脱可能な構成とされている。これにより、加湿器１は、本体基部２と、給水タンク３と、蒸気カバー４との３つの部品に分解して、個別に取扱い収納することができるので、使用者は、容易に持ち運びすることができる。
【００３６】
なお、本実施の形態では、給水タンク３と蒸気カバー４とが互いに分離できるように構成されているが、給水タンク３と蒸気カバー４とが一体となるように構成してもよい。
【００３７】
図３は、本発明の一実施の形態に係る加湿器の本体基部の上面図である。
図３に示すように、外周壁部２ａに囲まれた本体基部２の上面部２３には、受水部１３と、給水路１４と、蒸気発生部１５と、本体基部２の長手方向に沿って形成されている。受水部１３と蒸気発生部１５は、給水路１４によって連接されている。受水部１３の中心には、給水タンク３の給水口部１０を嵌め込むための突起１３ａが形成されている。このように、本体基部２の長手方向に沿って、受水部１３、給水路１４及び蒸気発生部１５のそれぞれが、一方向に並んで配置されているので、本体基部２の短手方向の幅を小さくすることができ、加湿器１全体をコンパクトにすることができる。
【００３８】
図４は、本発明の一実施の形態に係る加湿器の斜視図である。図４において、図１と対応する部分には同一の符号を付してその説明を省略する。
図４に示すように、本体基部２の底部の中央部付近には、樹脂性のスタンド脚２０が回動可能に取り付けられている。スタンド脚２０は、本体基部２の短手方向の幅よりも長くなるように構成されている。
【００３９】
使用者が加湿器１を持ち運ぶ場合には、スタンド脚２０は、本体基部２の底部に収納されている。また、使用者が加湿器１を使用する場合には、スタンド脚２０を回動し、本体に対して９０度の位置で止めて、図４に示すように、本体基部２の底部から一部を突出させた状態で加湿器１を設置する。これにより、加湿器１の転倒を防止し、安定した状態で使用することができる。
【００４０】
図５は、本発明の一実施形態に係る加湿器の全体構成を示す断面図である。
図５に示すように、加湿器の本体基部２の上面部２３には、給水タンク接続部１２に対応する受水部１３、給水路１４及び蒸気発生部１５が一体的に成形されている。
【００４１】
受水部１３には、給水タンク３がタンク接続部１２に接続されたときに、給水口部１０のバネ１０ｂの付勢力に打ち勝って逆止弁１０ａを押し開くための突起１３ａが一体に成形されている。
【００４２】
また、タンク接続部１２の下方の空間には、電気装備部１６が設けられている。電気装備部１６が収納されている近傍の本体基部２には、操作部６であるスタートキー６１が設けられている。
【００４３】
給水口部１０をタンク接続部１２に接続すると、給水口部１０が、突起１３ａに押される。これにより、逆止弁１０ａが、バネ１０ｂの付勢力に打ち勝って全開となり、給水タンク３内の水が、受水部１３に流れ込む。受水部１３に流れ込んだ給水タンク３の水は、給水路１４を通って蒸気発生部１５に供給される。
【００４４】
使用者がスタートキー６１を押すことにより、加湿器の図示しない加熱源がオンとなり、パイロットランプ６２の加湿ランプが点灯する。その後、蒸気発生部１５に供給された水は、蒸気発生部１５の下方に設けられた加熱源により加熱されて蒸気となる。蒸気は、蒸気カバー４の蒸気発生口４ｂを通じて、外部に放出されて周囲を加湿する。また、給水路１４の途中には、空焚きを防止するための検知センサ（図示なし）が設けられている。
【００４５】
蒸気発生部１５で蒸気が発生することによって水が消費されて、水位が低下すると、給水タンク３内に外気が吸い込まれ、再び、受水部１３に給水タンク３内の水が流れ出る。この繰り返しにより、給水を過不足無く行なうことができる。なお、給水タンク３内の水が少なくなると、加熱源への通電が自動的に止まり、パイロットランプ６２の給水ランプが点灯する。
【００４６】
なお、本発明の加湿器は、上述の各形態に限定されるものではなく、その他材料、構成等において、本発明の構成を逸脱しない範囲で種々の変形、変更が可能であることはいうまでもない。
【図面の簡単な説明】
【００４７】
【図１】本発明の一実施形態に係る加湿器の斜視図である。
【図２】本発明の一実施形態に係る加湿器に使用する給水タンクと蒸気カバーの斜視図である。
【図３】本発明の一実施形態に係る加湿器の本体基部の上面図である。
【図４】本発明の一実施形態に係る加湿器の斜視図である。
【図５】本発明の一実施形態に係る加湿器の全体構成を示す断面図である。
【符号の説明】
【００４８】
１・・加湿器、２・・本体基部、２ａ・・外壁部、２ｂ・・嵌合部、３・・給水タンク、３ａ・・膨出部、３ｂ・・膨出部、４・・蒸気カバー、４ａ・・筒壁、４ｂ・・蒸気放出口、５・・切欠き部、６・・操作部、１０・・給水口部、１０ａ・・逆止弁、１０ｂ・・ばね、１２・・給水タンク接続部、１３・・受水部、１３ａ・・突起部、１４・・給水部、１５・・蒸気発生部、１６・・電気装備部、２０・・スタンド脚、２１・・矩形部分、２２・・円形部分、２３・・上面部、６１・・スタートキー、６２・・パイロットランプ
【図１】
2008032297.tif 000003
【図２】
2008032297.tif 000004
【図３】
2008032297.tif 000005
【図４】
2008032297.tif 000006
【図５】
2008032297.tif 000007